(57)【要約】【課題】膨張性カフを空気を抜いた状態で挿入したとしても膨張性カフ先端部の折れ曲がりが生じることがなく、これにより、再度の挿入やり直しによる患者に対する負担をなくすることができるとともに、医療従事者が容易に気道確保を行なうことのできる気道確保装置を提供すること。【解決手段】患者の口から気道に向かって通されるエアーチューブ１２と、環状に膨らむ膨張性カフ１４とを備え、膨張性カフ１４を患者の気道を確保するための気道確保装置３０であって、エアーチューブ１２の幅を例えば、可撓性の筒体４０内に挿入することにより、膨張性カフの幅を狭くした状態にしてから口内部に挿入し、その後、膨張性カフ１４の幅を狭くしていた係合手段を解除して、口内部で元の状態に復元させて気道に当てがうようにしたことを特徴とする。【選択図】図２
2010131051.tif 000002
【特許請求の範囲】
【請求項１】
患者の口内部へ挿入されるエアーチューブと、
前記エアーチューブの先端部の開口を囲むように環状に膨らむ膨張性カフと、
前記エアーチューブ内に挿入される長尺状の案内部材と、を備えた気道確保装置であって、
前記膨張性カフの一対の内壁面に、前記案内部材を係止する係止手段が具備され、
前記長尺状の案内部材が前記エアーチューブ内に挿入された状態で、当該案内部材の先端部が前記係止手段に係止され、これにより、前記膨張性カフの横幅が狭く設定されるととともに、
前記膨張性カフの横幅が狭くされた状態から、当該膨張性カフが前記患者の口内部に挿入され、その後、前記長尺状の案内部材が前記エアーチューブから引き抜かれることにより案内部材の先端部が前記係止手段から解除され、これにより前記膨張性カフの横幅が元の横幅に戻されることを特徴とする気道確保装置。
【請求項２】
前記係止手段は、一対の係合片から構成され、これら係合片が前記案内部材を両側から捕捉することにより、前記案内部材が係止されることを特徴とする請求項１に記載の気道確保装置。
【請求項３】
前記係合片は、環またはフック状の突片であることを特徴とする請求項２に記載の気道確保装置。
【請求項４】
患者の口部内に挿入されるエアーチューブと、
前記エアーチューブの先端部の開口を囲むように環状に膨らむ膨張性カフと、
前記エアーチューブを軸方向に収容することのできる可撓性の筒体と、を備え、
前記膨張性カフを２つ折りにされた状態にし、この２つ折りにされた膨張性カフを前記可撓性の筒体内に収容するとともに、
前記膨張性カフが収容された前記筒体とともに前記エアーチューブを、前記患者の口内部に挿入した後、前記可撓性の筒体を前記エアーチューブに対して手前側に引き戻すことにより、前記筒体を前記膨張性カフから解除して、２つ折りにされた前記膨張性カフが元の状態に復帰されることを特徴とする気道確保装置。
【請求項５】
前記膨張性カフが収容される前記筒体の先端側は、他の部分より大口径に形成されていることを特徴とする請求項４に記載の気道確保装置。
【発明の詳細な説明】
【技術分野】
【０００１】
本発明は、麻酔科、呼吸器科、耳鼻咽喉科あるいは緊急医療などで使用される気道確保装置に関する。
【背景技術】
【０００２】
例えば、麻酔科領域で全身麻酔時の気道確保のため、あるいは耳鼻咽喉科領域での、咽頭、特に声帯付近の治療を行なうとき、さらには意識不明の患者や呼吸困難な患者などの気道を確保するために、ラリンゲルマスクが広く使用されるようになっている。
【０００３】
このラリンゲルマスクは、例えば、特許文献１に開示された図６に示したように、エアーチューブ２の先端部に膨張可能で柔軟な材質のカフ３を設け、このカフ３を小さな補助チューブ４を介して膨張させて、喉頭の外側を密閉し気道を確保するものである。
【０００４】
先端部の膨張性カフ３は、患者の口から通されるときに空気を注入した状態で挿入しても、あるいは空気を抜いた状態から挿入しても良いが、後者の方が患者に対する負担を少なくすることができる。
【０００５】
しかしながら、その場合には、以下のような問題が生じる場合がある。
すなわち、膨張性カフ３から空気を抜いた状態で使用すると、カフ３自体はシリコーンゴムなどからなる素材の弾力性で若干の自己膨張性を有しているとしてもカフ内部の空気が抜かれている場合には、全体として腰が弱く、挿入の途中で先端部が器官の内壁などに衝突して、膨張性カフ３の先端部が反り返ってしまうことがあった。
【０００６】
このように膨張性カフ３の先端部が反り返ってしまうと、この状態から、いくら医療従事者がエアーチューブ２を押し込んでも、先端部の膨張性カフ３を所定位置にまで到達させることができず、かえって無理に押し込んでしまうことにより、咽頭周囲組織を損傷させてしまう虞があった。
【０００７】
しかも、膨張性カフ３が不良位置に配置されていることの確認が困難であり、この状況は後から気道を確保する目的で空気を注入して音漏れを検知することにより初めて識別される場合が多い。
【０００８】
このような場合には、ラリンゲルマスクを一旦引き抜いてから、再度口内部に挿入し直すことが必要となる。その作業は患者に負担を強いるだけでなく、場合によっては新たなラリンゲルマスクを使用しなければならないなどの不具合が生じる。
【０００９】
また、カフ３に空気を注入しても先端が折れ曲がった状態のままなので、うまく咽頭の外側とエアーチューブ２との間を密閉できない。
【特許文献１】特開２０００−１５２９９５号公報
【発明の開示】
【発明が解決しようとする課題】
【００１０】
本発明は、このような従来の実情に鑑み、例えば、膨張性カフから空気を抜いた状態で挿入したとしても、例えば膨張性カフ先端部の折れ曲がりが生じることがなく、これにより、再度の挿入や、やり直しによる患者に対する負担を少なくすることができるとともに、不慣れな医療従事者であっても一回の操作で気道確保を確実に行なうことのできる気道確保装置を提供することを目的としている。
【課題を解決するための手段】
【００１１】
上記目的を達成するための本発明に係る気道確保装置は、
患者の口内部へ挿入されるエアーチューブと、
前記エアーチューブの先端部の開口を囲むように環状に膨らむ膨張性カフと、
前記エアーチューブ内に挿入される長尺状の案内部材と、を備えた気道確保装置であって、
前記膨張性カフの一対の内壁面に、前記案内部材を係止する係止手段が具備され、
前記長尺状の案内部材が前記エアーチューブ内に挿入された状態で、当該案内部材の先端部が前記係止手段に係止され、これにより、前記膨張性カフの横幅が狭く設定されるととともに、
前記膨張性カフの横幅が狭くされた状態から、当該膨張性カフが前記患者の口内部に挿入され、その後、前記長尺状の案内部材が前記エアーチューブから引き抜かれることにより案内部材の先端部が前記係止手段から解除され、これにより前記膨張性カフの横幅が元の横幅に戻されることを特徴としている。
【００１２】
このような構成の気道確保装置によれば、膨張性カフが口内部の所定位置に到達するまでは、患者に対する負担が少ないように膨張性カフの横幅を狭くした状態で挿入することができ、また空間が広がった付近で前記案内部材を引抜けば、膨張性カフとの係合が解除されて膨張性カフの幅を元に戻すことができる。したがって、患者に対する負担を少なくすることができるとともに、内方で所定の幅に広げられた膨張性カフを、その後若干進ませることにより、確実に患者の気道確保を行なうことができる。
【００１３】
ここで、本発明では、前記係止手段は、一対の係合片から構成され、これら係合片が前記案内部材を両側から捕捉することにより、前記案内部材が係止されることが好ましい。
さらに、本発明では、前記係合片は、前記係合片は、環またはフック状の突片であることが好ましい。
【００１４】
このような構成であれば、簡単な構成で、膨張性カフの幅を狭くすることができる。
また、本発明に係る気道確保装置は、患者の口部内に挿入されるエアーチューブと、
前記エアーチューブの先端部の開口を囲むように環状に膨らむ膨張性カフと、
前記エアーチューブを軸方向に収容することのできる可撓性の筒体と、を備え、
前記膨張性カフを２つ折りにされた状態にし、この２つ折りにされた膨張性カフを前記可撓性の筒体内に収容するとともに、
前記膨張性カフが収容された前記筒体とともに前記エアーチューブを、前記患者の口内部に挿入した後、前記可撓性の筒体を前記エアーチューブに対して手前側に引き戻すことにより、前記筒体を前記膨張性カフから解除して、２つ折りにされた前記膨張性カフが元の状態に復帰されることを特徴としている。
【００１５】
係る構成による気道確保装置によれば、エアーチューブの外方に可撓性の筒体を装着し、この筒体内に予め膨張性カフを２つ折りにして収容するので、器官内壁などに衝突して膨張性カフの先端部が折れ曲がってしまうことを防止することができる。また、可撓性の筒体とともに挿入した後、外側の筒体のみを引き抜けば、２つ折りの膨張性カフがそれ自身の有する弾性力により元の幅に復元される。したがって、膨張性カフが元の姿勢に復元された後、若干内方に押し込めば、膨張性カフを所望とする気管の開口に当てがうことができる。
【００１６】
このように、本発明によれば、挿入時の扱い方には熟練を要さず、容易にそれを行なうことができる。
また、本発明では、前記膨張性カフが収容される前記筒体の先端側は、他の部分より大
口径に形成されていることが好ましい。
【００１７】
このような構成であれば、筒体による膨張性カフの収容および開放が容易である。
【発明の効果】
【００１８】
本発明に係る気道確保装置によれば、膨張性カフの先端部が装着の途中で折り曲がってしまうことがなく、誰でも簡単に操作して確実に所定位置に案内することができる。
これにより、膨張性カフを一回の挿入操作で確実に気管の開口に押し付けることができるとともに、一旦、引き抜いてやり直しを行なうという必要もない。
【発明を実施するための最良の形態】
【００１９】
以下、図面に示した本発明に係る実施例について説明する。
図１は本発明の一実施例に係る気道確保装置３０の一例を示したものである。
この気道確保装置３０は、ラリンゲルマスク１０と、このラリンゲルマスク１０を軸方向に収容することのできる可撓性の筒体４０とから構成されるものである。
【００２０】
上記ラリンゲルマスク１０は、患者の口から気道に向かって挿入されるエアーチューブ１２と、このエアーチューブ１２の先端部２２の開口２２ａを囲むように環状に膨らむ膨張性カフ１４と、この膨張性カフ１４に外部から空気を送り込む補助チューブ１６とを備え、補助チューブ１６の基端側端部には、逆止弁１８を内蔵したバルーン２０が具備されている。また、エアーチューブ１２の先端部には、フランジ３２ａを備えたコネクタ３２が装着されている。
【００２１】
上記膨張性カフ１４は、リング状の袋部を有するもので、接着剤または溶着などによりエアーチューブ１２の先端部２２の周囲に取り付られている。この膨張性カフ１４はポリウレタンフィルム、塩化ビニルフィルムなどから形成されたもので、材質的に薄くて堅牢であるとともに、補助チューブ１６を介して外部から空気が注入されることにより、環状に膨らませることができる。そして、膨らんだ状態で膨張性カフ１４を気管の開口に押し当てれば、エアーチューブ１２の内孔を介して患者の気道が確保される。
【００２２】
上記可撓性の筒体４０は、ラリンゲルマスク１０の膨張性カフ１４を２つ折りにして軸方向に収容できる内径を有し、筒体４０の先端側領域Ｂは、径外方に若干拡開して形成されている。
【００２３】
このような可撓性の筒体４０は、透明で内部の様子を視認できることが好ましく、例えば、シリコーンゴムやポリプロピレン、塩化ビニルなどから形成されていることが好ましい。また、筒体４０の外周面と、エアーチューブ１２の外周面などに目盛りなどを印字しておけば、この印字情報により筒体４０の移動距離などを確認することができる。
【００２４】
本実施例の気道確保装置３０は、上記のように構成されているが、以下に作用について説明する。
ここで、ラリンゲルマスク１０は、膨張性カフ１４から空気を抜いた状態で患者の口内部に挿入しても、あるいは膨らませた状態で挿入しても良いか、患者にとっては空気を抜いた状態から挿入した方は負担が少ない。したがって、以下では、空気を抜いた状態から使用する場合について説明する。
【００２５】
先ず、ラリンゲルマスク１０を患者の口から気管に向けて挿入する場合には、その前段階として、エアーチューブ１２に付設された補助チューブ１６の先端部に図示しないシリンジを装着し、このシリンジにより膨張性カフ１４から予め空気を抜く作業を行う。この空気抜き作業は、全体の空気を抜く必要はなく、膨張性カフ１４の外観が維持できる程度
で良い。
【００２６】
このように膨張性カフ１４内のエアー抜きが完了したら、今度は、エアーチューブ１２の軸線方向と同方向に膨張性カフ１４を２つに折り曲げる。このように膨張性カフ１４を２つに折り曲げることより、膨張性カフ１４の外形が筒体４０内に収容できる程度にまで縮径される。なお、２つに折り曲げられた膨張性カフ１４から手を離せば、この膨張性カフ１４が元の開いた姿勢に復帰する。
【００２７】
このように膨張性カフ１４が使用時の形に比べて半分程度の幅に縮径されたら、図２（Ａ）に示したように、この膨張性カフ１４を可撓性の筒体４０内に挿入し、この状態を初期状態とする。なお、この初期状態では、膨張性カフ１４の先端部分１４ａは、図２（Ａ）に示した状態よりさらに筒体４０から露出する位置が好ましい。
【００２８】
このように膨張性カフ１４の先端部分１４ａが筒体４０から所定長さ突出されていれば、可撓性チューブ４０の先端部４０ａが器官内壁に衝突してしまうことがない。
そして、膨張性カフ１４は、筒体４０とともに患者の口内部に挿入される。また、筒体４０の先端側がある程度、内方に挿入されたことを印字情報あるいは周囲との関係などで確認する。
【００２９】
その確認後、手前側のエアーチューブ１２を持った手をそのままにして、可撓性の筒体４０のみを手前側に引き戻す。これにより、膨張性カフ１４が筒体４０から開放され、最終的には図２（Ｂ）に示したように、筒体４０から完全に露出する。すなわち、膨張性カフ１４は、今まで二つ折りにされていた姿勢から元の開いた姿勢に復帰している。
この状態は指先の感覚で確認することができる。
【００３０】
この状態から補助チューブ１６の先端部に図示しないシリンジを装着し、そのシリンジを介して膨張性カフ１４に空気を注入することにより、膨張性カフ１４を所定の大きさに膨らませる。その後、この膨張性カフ１４が確かに膨張したことをバルーン２０の膨らみ具合などで確認する。
【００３１】
バルーン２０による膨張具合の確認を行なった後、エアーチューブ１２をさらに内方に押し込めば、このエアーチューブ１２の自然な屈曲姿勢にならって膨張性カフ１４が先方に移動し、気管の開口に当接する。これにより、エアーチューブ１２を介して患者の気道を確保することができる。
【００３２】
このように本実施例によれば、最初の挿入時に膨張性カフ１４は、幅が狭くされているので、患者に対する負担が少なくてよい。また、熟練していない医療従事者が操作を行なったとしても患者の気道を確実に確保することができる。
【００３３】
以上、本発明の一実施例に係る気道確保装置について説明したが、本発明は上記実施例に何ら限定されない。
例えば、上記実施例では、膨張性カフ１４内のエアーを半分程度抜いた状態にしてから筒体４０内に装着しているが、膨張性カフ１４を膨らませた状態から筒体４０内に装着することもできる。その場合には、後から膨張性カフ１４を膨らませる必要がない。
【００３４】
また、上記実施例では、膨張性カフ１４の外側に筒体４０を装着することにより膨張性カフ１４の２つ折りの姿勢を保持しているが、本発明では、筒体４０に代えて他の構成を採用することもできる。
【００３５】
図３は、本発明の他の実施例による気道確保装置６０を示したものである。
この気道確保装置６０は、エアーチューブ１２と、膨張性カフ１４と、膨張性カフ１４内に空気を送り込む図示しない補助チューブと、エアーチューブ１２内に挿入される長尺状の案内部材５０を有している。また、膨張性カフ１４の内面には、上記案内部材５０の先端部を係止する係止手段が具備されている。
【００３６】
本実施例による係止手段は、フック状の一対の係合片５２ａ、５２ｂにより構成されている。そして、これらの係合片５２ａ、５２ｂは近接させた場合に、互いに衝突しないように、水平方向に若干ずれた位置に形成されている。また、これらの係合片５２ａ、５２ｂは、膨張性カフ１４から空気を抜いた状態であっても、これらの係合片５２ａ、５２ｂが外方にはみ出すことがないように、開口端面から十分内方位置に形成されている。
【００３７】
なお、一対の係合片５２ａ、５２ｂは、フック状に限定されず、例えば、図５に示したように、環状の突片５４ａ、５４ｂであっても良い。
このように環状の突片５４ａ、５４ｂであれば、案内部材５０を差し込むことにより膨張性カフ１４の幅を狭くすることができる。
【００３８】
一方、長尺状の案内部材５０は、例えば、断面が略円状で柔軟な材質から形成されたもので、その直径は、係合片５２ａ、５２ｂの直径に対応しており、またエアーチューブ１２より全長が長く形成されている。
【００３９】
すなわち、案内部材５０は略棒状で、案内部材５０の外面形状が円形であれば、一対の係合片５２ａ，５２ｂの内周面は、略円弧である。
また、係合片５２ａ、５２ｂが断面四角形であれば、案内部材５０の断面形状も四角形であることが好ましい。また、案内部材５０は、全て断面が一定の長尺状である必要はなく、先端部のみが所定の形状であれば、基端側は、例えば、紐のような形状・材質であっても良い。
【００４０】
以下に、図４に示した気道確保装置６０の作用について説明する。
この実施例の場合も、膨張性カフ１４から空気を抜いた状態から使用しても、あるいは空気で所定の大きさに膨らませた状態から使用しても良いが、以下では、空気を入れた状態から使用する場合について説明する。
【００４１】
先ず、膨張性カフ１４内に空気を注入し、膨張性カフ１４を所定の大きさに膨らませるとともに、長尺状の案内部材５０をエアーチューブ１２の内部に挿入し、エアーチューブ１２の先端部を膨張性カフ１４の開口端面に臨ませる。
【００４２】
そして、この案内部材５０の先端部を、一対の係合片５２ａ、５２ｂに係止させる。このとき、膨張性カフ１４を形成するシリコーンゴム、塩化ビニルなどの弾性体により、膨張性カフ１４は元の拡開した姿勢に戻ろうとするが、係合片５２ａ、５２ｂによりその復元は阻止され、膨張性カフ１４は、図４に示したように、横幅が小さくされた状態に保持される。
【００４３】
その後、この案内部材５０が挿入されたエアーチューブ１２を、患者の口内部に挿入し、所定位置まで挿入された時点で、この案内部材５０のみを引き出せば、案内部材５０の先端部と係合片５２ａ、５２ｂとの係合が解除される。これにより、膨張性カフ１４は、元の開いた姿勢に復元される。そして、その後、若干先方に進めれば、膨張性カフ１４を気管の開口に押し当てることができ、これにより患者の気道を確保することができる。
【００４４】
このように、膨張性カフ１４内に係止手段を備えた気道確保装置６０であっても、上記実施例と同様の作用効果を奏することができる。
なお、一対の係合片５２ａ、５２ｂから構成される係止手段は、膨張性カフ１４の内面に一体に形成されていても良いが、膨張性カフとは別体で形成しても良い。
【図面の簡単な説明】
【００４５】
【図１】図１は、本発明の一実施例による気道確保装置の概略斜視図である。
【図２】図２（Ａ）は、図１に示した気道確保装置を使用直前の状態に組み込んだときの概略断面図、図２（Ｂ）は口内部の内方で、長尺状の案内部材を係止手段から開放したときの概略断面図である。
【図３】図３は、本発明の他実施例による気道確保装置の構成を一部破断して示す概略図である。
【図４】図４は、図３に示した他実施例による気道確保装置を使用する直前の概略図である。
【図５】図５は、本発明のさらに他実施例による気道確保装置の構成を示す概略図である。
【図６】図６は、特開２０００−１５２９９５号公報に開示されている従来のラリンゲルマスクで患者の気道を確保したときの断面図である。
【符号の説明】
【００４６】
１０          ラリンゲルマスク
１２          エアーチューブ
１４          膨張性カフ
１４ａ        膨張性カフの先端部
１６          補助チューブ
１８          逆止弁
２０          バルーン
２２          エアーチューブの先端部
２２ａ        エアーチューブの開口
３０          気道確保装置
３５          スリット
４０          可撓性の筒体
４０ａ        筒体の先端部
５０            案内部材
５２ａ、５２ｂ  係合片
５４ａ、５４ｂ  係合片
６０            気道確保装置
【図１】
2010131051.tif 000003
【図２】
2010131051.tif 000004
【図３】
2010131051.tif 000005
【図４】
2010131051.tif 000006
【図５】
2010131051.tif 000007
【図６】
2010131051.tif 000008